(57)【要約】      （修正有）【課題】構造が簡単で取り付けやすく、しかも、繰り返し自動排水を行うことができる、空気圧縮機用の自動排水装置を提供する。【解決手段】電磁弁１０の一端に延長管２０が螺合され、他端には定流量弁３０が螺合されてなる。前記電磁弁１０は、回路基板４０に制御されて開いた後に閉じる。前記回路基板４０は、ケース５０内に収容され、さらに底蓋５２で封鎖される。また、前記回路基板４０は、電磁弁１０の電源コード４１に接続され、前記回路基板５２によって電磁弁１０が駆動して開いた後に閉じる。前記ケース５０は、空気圧縮機の圧縮機の一側に取り付けられ、回路基板４０の電源コード４１は、電源を得るために、圧縮機の起動電源スイッチボックス内に接続され、電磁弁１０の延長管２０は、空気圧縮機の空気貯蔵筒の排水口に螺合される。【選択図】図１
0003182776.tif 000002
【実用新案登録請求の範囲】
【請求項１】
電磁弁の一端に延長管を螺合し、電磁弁の他端に定流量弁を螺合してなる空気圧縮機用の自動排水装置であって、
前記電磁弁は、回路基板に制御されて開いた後に閉じ、
前記回路基板は、ケース内に収容され、さらに底蓋で封鎖され、前記回路基板は、電磁弁の電源コードに接続され、前記回路基板によって電磁弁は駆動して開いた後に閉じ、
内部に回路基板が収容されたケースは、空気圧縮機の圧縮機の一側に取り付けられ、回路基板の電源コードは、電源を得るために、圧縮機の起動電源スイッチボックス内に接続され、電磁弁の延長管は、空気圧縮機の空気貯蔵筒の排水口に螺合され、
上述の構造による装置により、空気圧縮機が起動する度に、回路基板によって電磁弁が制御され、排水通路が約三から五秒開いて、空気貯蔵筒内に溜まった水が排出され、また、定流量弁により排水の量を調整することができ、それにより、空気圧縮機の自動排水の効果を達成することができることを特徴とする、空気圧縮機用の自動排水装置。
【考案の詳細な説明】
【技術分野】
【０００１】
本考案は空気圧縮機用の自動排水装置に関し、特に空気圧縮機を起動する度に、起動と同時に回路基板によって電磁弁が制御されて排水通路が約三から五秒開いて、空気貯蔵筒内に溜まった水が排出されるとともに、定流量弁により排水の量を調整することができる空気圧縮機用の自動排水装置に関する。
【背景技術】
【０００２】
空気の圧縮は、空気圧縮機の周囲の空気を吸い込んで圧縮して行う。そして、空気圧縮機が毎回空気を取り込んで排出する際、空気圧縮機の空気貯蔵筒内には、空気に含まれた水分とちり、汚染物等が凝集するため、毎日或いは一定時間ごとに、空気貯蔵筒内部の不純物と汚水を排出しなければならない。現在のやり方としては、多くが、空気圧縮機の空気貯蔵筒の下方に排水弁を設け、定期的に人の手による手動で排水弁を開いて排水の実施をした後、排水弁を閉じなければならない。しかしながら、現在、各業界は、自動化と無人化の方向に進んでおり、人の手で空気圧縮機の排水を毎回行わなければならないのは、効率性に欠ける上、不注意により忘れてしまうことも避けられない。従って、空気圧縮機の空気貯蔵筒内の残液をどのようにして確実に排除するか、そして、従来の人の手による排水の非効率さといった欠点をどう解決するかが、現在の空気圧縮機業者が改善を急ぐ課題である。
【考案の概要】
【考案が解決しようとする課題】
【０００３】
本考案者は、従来の空気圧縮機が人の手で定期的に操作して空気貯蔵筒内に溜まった水を排出しなければならなかったため、効率が悪く、人が不注意で忘れてしまうという欠点に鑑み、また、空気圧縮機業界に従事し関連技術を研究開発してきた長年の豊富な経験をいかし、絶え間ない研究を重ねた結果、ついに、「空気圧縮機用の自動排水装置」を考案することに成功した。この考案は、空気圧縮機が毎回起動する度に、空気貯蔵筒内に溜まった水を自動的に排出するため、空気圧縮機の空気の品質を確実に高め、使用寿命も延ばすことができ、人の手による効率の悪さを改善することができる。
【０００４】
本考案は、空気圧縮機を毎回起動する度、回路基板によって電磁弁を制御し排水通路を約三から五秒開き、空気圧縮機の空気貯蔵筒内に溜まった水と不純物を排出することができるため、従来の人の手による操作で排出することの非効率性の欠点を改善することができ、それにより、構造が簡単で取り付けやすく、しかも、繰り返し自動排水を行うことができる、空気圧縮機用の自動排水装置を提供することを目的とする。
【０００５】
また、本考案は、定流量弁によって、空気貯蔵筒の容量に応じて、排水の多さを調整することができるため、液体を排出する際に気体の放出の損失を防止し、空気圧縮機の経済効果を高めることができる、空気圧縮機用の自動排水装置を提供することを目的とする。
【課題を解決するための手段】
【０００６】
本考案による空気圧縮機用の自動排水装置は、電磁弁の一端に延長管が螺合され、他端には定流量弁が螺合されてなる。前記電磁弁は、回路基板に制御されて開いた後に閉じる。前記回路基板は、ケース内に収容され、さらに底蓋で封鎖される。また、前記回路基板は、電磁弁の電源コードに接続され、前記回路基板によって電磁弁が駆動して開いた後に閉じる。前記ケースは、空気圧縮機の圧縮機の一側に取り付けられ、回路基板の電源コードは、電源を得るために、圧縮機の起動電源スイッチボックス内に接続され、電磁弁の延長管は、空気圧縮機の空気貯蔵筒の排水口に螺合される。上述の構造による装置により、空気圧縮機が起動する度に、回路基板によって電磁弁が制御され、排水通路が約三から五秒開いて、空気貯蔵筒内に溜まった水と不純物が排出され、また、定流量弁により排水の量を調整することができる。
【図面の簡単な説明】
【０００７】
【図１】本考案の分解斜視図である。
【図２】本考案を組み合わせた外観を示した斜視図である。
【図３】本考案の実施例の斜視図である。
【図４】本考案の実施例の側面図である。
【考案を実施するための形態】
【０００８】
まず、図１と図２を参照する。図から分かるように、本考案の空気圧縮機用の自動排水装置の構造は、電磁弁１０の一端に延長管２０を螺合し、他端に定流量弁３０を螺合し、電磁弁１０の電源コード１１に、回路基板４０を接続してなる。電磁弁１０は、回路基板４０に制御されて、約三から五秒間開いてから閉じる。
【０００９】
回路基板４０には、たくさんの電子制御素子（図示せず）が敷設される。回路基板４０は、ケース５０内に取り付けられ、さらにネジ５１で底蓋５２が被せられる。また、回路基板４０は、電磁弁１０の電源コード１１に接続され、回路基板４０によって電磁弁１０が駆動し、約三から五秒間開いて閉じる。
【００１０】
図１、図３、図４を参照する。図１、図３、図４は、本考案の取り付け、使用の実施例を示している。内部に回路基板４０を収容したケース５０を、ボルト５３とナット５４で空気圧縮機６０の圧縮機６１の一側に取り付け、回路基板４０の電源コード４１を圧縮機６１の起動電源スイッチボックス６１１内に接続することで、電源を供給することができる。また、電磁弁１０の延長管２０は、空気圧縮機６０の空気貯蔵筒６２の排水口６３に螺合される。
【００１１】
以上までに、本考案における空気圧縮機用の自動排水装置の各構成部材の位置関係の記述をおこなった。引き続き、本考案の使用動作の状況について、以下に説明を行う。
【００１２】
上述した構成部材の組み合わせにより、空気圧縮機６０の圧縮機６１を毎回起動する度、回路基板４０の回路により、電磁弁１０が作動して排水通路が約三から五秒開き、空気貯蔵筒６２内部の不純物と汚水を排出する。なお、定流量弁３０により排水の量を調整することができ、それにより、液体を排出する際に、放出される気体の損失を減らすことができる。以上により、自動排水効果を提供し、構造が簡単で取り付けやすく且つ人の手を使うことなく排水を行うことができる。
【００１３】
ここで特に説明が必要なのは、本考案の回路基板４０にはたくさんの電子制御素子（図示せず）が敷設されるという点と、実施例図の空気圧縮機６０の形状や型に関しては、本考案では特別な制限を設けないため、ここでは記載を省略する。
【符号の説明】
【００１４】
１０    電磁弁
１１    電源コード
２０    延長管
３０    定流量弁
４０    回路基板
４１    電源コード
５０    ケース
５１    ネジ
５２    底蓋
５３    ボルト
５４    ナット
６０    空気圧縮機
６１    圧縮機
６１１  起動電源スイッチボックス
６２    空気貯蔵筒
６３    排水口
【図１】
0003182776.tif 000003
【図２】
0003182776.tif 000004
【図３】
0003182776.tif 000005
【図４】
0003182776.tif 000006